(57)【要約】      （修正有）【課題】土木・建築工事において、木材、コンクリート面や鉄骨躯体等に水平線を表示する場合に使用される水糸張り、墨付け及び寸法測定に使用できる多機能な墨出し補助具を提供する。【解決手段】ゴム又は軟質樹脂製の薄板２の上に補強台３が設けられた基台１と、該補強台３の上面から下面まで貫通して立設された一対の中空胴５と、該中空胴５に上下移動可能に挿入された固定ピン６とから構成されている。薄板２は、磁性体又は磁性体が積層されている。補強台３には、墨壷糸を拘持する拘持アームが設けられている。補強台３には、一対の中空胴３の外側に、一以上の水糸ガイドが立設されている。薄板２の上には、巻尺テープ先端部の係止片を係止する凹溝が設けられている。【選択図】図１
0003204744.tif 000002
【実用新案登録請求の範囲】
【請求項１】
ゴム又は軟質樹脂製の薄板の上に補強台が設けられた基台と、
該補強台の上面から下面まで貫通して立設された一対の中空支持棒と、
該中空支持棒に上下移動可能に挿入された滑り止めピンとから構成されていることを特徴とする墨出し補助具。
【請求項２】
前記薄板は、磁性体又は磁性体が積層されていることを特徴とする請求項１に記載の墨出し補助具。
【請求項３】
前記補強台には、墨壷糸を拘持する拘持アームが設けられていることを特徴とする請求項１又は２に記載の墨出し補助具。
【請求項４】
前記補強台には、前記一対の中空支持棒の外側に、一以上の水糸係止棒が立設されていることを特徴とする請求項１〜３野いずれかに記載の墨出し補助具。
【請求項５】
前記薄板の上には、巻尺テープ先端部の係止片を係止する溝が設けられていることを特徴とする請求項１〜４に記載の墨出し補助具。
【考案の詳細な説明】
【技術分野】
【０００１】  本考案は、土木・建築工事において、木材、コンクリート面や鉄骨躯体等に水平線を表示する場合に使用される水糸張りや、墨付けをするための墨出し補助具に関するものである。
【背景技術】
【０００２】従来、磁石を備えた台座部に棒状体が立設された水糸張り部材と、磁石を備えた固定保持部材とが連結部材によって連結されている水糸張り装置が開示されている（特許文献１）。また、磁石使用可能な鉄製の正三角形の墨出し補助具の３点のビスで床を滑らないように置き、磁石付きカルコを上部にくっつけて、墨壷糸を切り込みに誘導して、足元の滑り止め用のビスに掛け墨打ちを行う墨出し補助具が開示されている（特許文献２）。また、墨汁の付着又は含浸可能な墨糸に対して所要間隔毎に太い墨糸部分を設けた墨糸、及び墨汁の付着可能又は含浸可能な墨糸に対して、所要間隔毎に墨汁の付着されない部分又は含浸されない部分を設けた墨糸、及び墨汁の付着又は含浸されない墨糸に対して所要間隔毎に墨汁の付着可能又は含浸可能な部分を設けた墨糸が開示されている（特許文献３）。
【先行技術文献】
【特許文献】
【０００３】
【特許文献１】  特開２０１０−２４７７４１号公報
【特許文献２】  特開２０１４−６５１３９号公報
【特許文献３】  特開平８−１７８６５６号公報
【考案の概要】
【考案が解決しようとする課題】
【０００４】  特許文献１に記載の水糸張り装置は、水糸張り部材の位置ズレおよび磁着位置からの脱落を防止するために、力が掛かった水糸張り部材を連結部材で連結された固定保持部材で支持しているが、前記両部材を結束ベルトで接続する等部品点数が多く、取り扱いが煩雑となる。また、鉄骨躯体の墨出し位置決めを行う水糸張りに限定されるので、対象物が限定されるという問題がある。【０００５】  特許文献２に記載の墨出し補助具は、従来、２人１組で行っていた墨打ち作業を一人で行うための補助具であるが、構造が複雑であり、しかも、４Ｋｇ以上の重量があるため移動や設置に手間が掛かるという問題があった。【０００６】  特許文献３の墨糸は、墨糸に対して所要間隔毎に太い墨糸部分を設けたものであるが、前記所要間隔は必要の都度変更することが不可能なため、概略距離の把握が可能という機能に留まり、巻尺として長さを計測するという機能を有しないものである。
【課題を解決するための手段】
【０００７】  本考案は、前記問題点を解決するために成されたものであり、水糸張り、墨出し及び寸法計測という３つの機能を有した墨出し補助具てあり、しかも、木材、コンクリート面、鉄骨躯体等に適用できる墨出し補助具を提供することを目的としている。【０００８】  本考案の墨出し補助具は、ゴム又は軟質樹脂製の薄板の上に補強台が設けられた基台と、前記補強台の上面から下面まで貫通して立設された一対の中空支持棒と、該中空支持棒に上下移動可能に挿入され、前記薄板を貫通する滑り止めピンから構成されている。前記薄板は、磁性体又は磁性体が積層されており、前記補強台には、墨壷糸を拘持する拘持アームが設けられている。また、前記補強台には、前記一対の中空支持棒の外側に、一以上の水糸係止棒が立設されており、前記薄板の上には、巻尺テープ先端部の係止片を係止する溝が設けられている。
【考案の効果】
【０００９】  本考案の墨出し補助具によれば、水糸張りや墨付け作業において、コンクリートや木材の表面に薄板を貫通した一対の滑り止めピンの先端が突き刺さるので、前記墨出し補助具の設置点からの位置ずれを防ぐことができる。また、薄板が磁性体又は磁性体が積層されているので鉄骨躯体からの脱落を防止することができる。【００１０】  前記補強台には墨壷糸を拘持する拘持アームが設けられており、カルコから引出した前記墨壷糸を墨出し面に拘持するので、前記墨出し面に鮮明な墨出しができる。また、前記薄板の上には、巻尺テープ先端部の係止片を係止する溝が設けられているので、水糸張りや墨付けをする距離を巻尺で正確に計測することができる。
【図面の簡単な説明】
【００１１】
【図１】  本考案の第一実施形態を示す斜視図である。
【図２】  図１のＡ−Ａ断面図であり、（ａ）は挿入ピン打ち込み前、（ｂ）は挿入ピン打ち込み後である。
【図３】  本考案の第二実施形態を示す側面図である。
【図４】  本考案の第三実施形態を示す斜視図である。
【図５】  本考案の第四実施形態を示す平面図である。
【考案を実施するための形態】
【００１２】  本考案の実施形態について、図面に基づいて詳細に説明する。図１は本考案の第一実施形態を示す斜視図であり、図２は図１のＡ−Ａ断面図であり、（ａ）は挿入ピン打ち込み前、（ｂ）は挿入ピン打ち込み後である。図３は本考案の第二実施形態を示す側面図である。図１〜図３において、薄板２は略３ｍｍの方形のゴム又は軟質樹脂製であり、木材やコンクリート面のような粗面にも添うようにしている。また、鉄骨躯体に適用させるために、前記薄板２は磁石粉体又は磁性粉体を混練した磁石体（ゴム磁石など）とするか、または、薄板２に磁性体を積層してもよい。なお、前記薄板２の形状を図１では方形としているが、円形、楕円形または多角形としてもよい。
【００１３】  前記薄板２の上面には補強台３を設置して基台１としている。該基台１を木材、コンクリート又は鉄骨躯体面の所定位置に一時的に固定して水糸張りや墨出しに使用する。前記補強台３は、断面が四角の長方形であり、薄板２の長尺側の中心部に、長尺側辺と同一長さ又は短尺に形成されている。
【００１４】  図２に示すように、前記補強台３の上面には、一対の基台固定部４が設けられている。前記基台固定部４は、基台３を貫通して挿着された上面が開口された中空胴５に、上下スライド自在に固定ピン６が挿入されている。前記固定ピン６は、上部がスライド軸よりも太径（例えば、六角ナット）７に形成されており、下部は先端が尖った挿入ピン８が挿入されている。木材やコンクリート面に基台１を設置する時は、該基台１を所定位置に仮置きし、前記固定ピン６の太径７（六角ナット）を手で木材やコンクリート面に押し込むか、金槌等で打設すると、前記挿入ピン８の先端部が、薄板２に設けられた細穴２ａを貫通して木材やコンクリート面に突き刺さることで、前記基台１が固定される。前記固定ピン８を取り外すときは、手等で固定ピン８の上端部を引き上げると、木材やコンクリート面から取り外すことができる。また、基台固定部４の上部（大径を含む近傍）を水糸ガイドとして利用することもできる。なお前記大径７は六角ナットに限定されるものではなく、固定ピン６の軸径より大径であればどんな形状でもよい。
【００１５】  図３は本考案の第二実施形態を示す側面図であり、水糸ガイドが設けられたものである。前記水糸ガイド９は、先端部が軸部より大径であり、一対の基台固定部４より基台１の短辺側に所定間隙を保持し、対向して設けられている。該水糸ガイド９の高さは、水糸を張るとき基台固定部４が障害とならないように、基台固定部４の全長よりも高く形成されている。
【００１６】  図４は本考案の第三実施形態を示す斜視図である。この実施例では、墨出し作業時に墨壷（記載しない）から引出した墨糸５２を，墨出し面（木材、コンクリート、又は鉄骨躯体）に抱持するための抱持アーム１０が設けられている。この抱持アーム１０は第一実施形態、第二実施形態及び第四実施形態の墨出し補助具にも適用できるものである。図４において、抱持アーム１０は略コの字形をしており、両側面アーム１１の先端は墨出し面側に湾曲１４しており、末端側は補強台の側面側に折り曲がって、補強台３の側面に設けられた穴に回動自在に挿入されており、前面アームが常に墨出しする面に当接するようにバネ１３で負勢されている。
【００１７】  図５は本考案の第四実施形態を示す平面図である。図５において、基台１の長尺方向及び短尺方向の中心部にそれぞれ中心線２１が描かれており、短尺側の中心線上に、巻尺テープ先端部の係止片（図示しない）を係止する凹溝２２が少なくても１個設けられている。これにより、基準線からの距離を巻尺で計測することができる。
【００１８】  以下各実施形態による墨出し補助具の使用方法について説明する。図１に示す第一実施形態の墨出し補助具で水糸張り作業を行うときは、木材、コンクリート又は鉄骨躯体の所定面に、所要数の墨出し補助具の薄板２下面を当接させて仮置する。木材又はコンクリート面に設置するときは、固定ピン４の頭部を手で押し下げるか、金槌で打設して前記木材又はコンクリート面に固定する。次に、最初の墨出し補助具に対して、水糸（図示しない）を引出して前記固定ピン４の頭部近傍に巻付け固着した後、次の墨出し補助具の固定ピン４まで水糸を張設して、該固定ピン４の頭部近傍に巻付け固着し、以下必要個数の墨出し補助具について同一作業を繰り返す。また、第二実施形態の墨出し補助具を用いる場合、水糸張りは、水糸ガイド９に巻付け固着する。
【００１９】  第一実施形態及び第二実施形態の墨出し補助具を用いた墨出しの方法について説明する。図１〜図３において、木材、コンクリート又は鉄骨躯体の所定面に、墨出し補助具の薄板２下面を当接させて仮置する。木材又はコンクリート面に設置するときは、固定ピン４の大径７を手で押し下げるか、金槌で打設して前記木材又はコンクリート面に固定する。次に、墨壷（記載しない）から引出した墨糸５２の先端に取り付けられた軽子（カルコ）５０のピン５１を薄板２面に突き刺して、張設した墨糸５２の所定箇所を指で摘み上げて放すと、墨糸５２に付着している墨が木材又は、コンクリート面に転写される。なお、鉄骨躯体面については薄板２が磁着するので、固定ピン４で固定する必要はない。
【００２０】  第三実施形態の墨出し補助具を用いて墨出し作業を行うと、より鮮明に墨糸５２の転写をすることができる。図４において、木材、コンクリート又は鉄骨躯体の所定面に、墨出し補助具の薄板２下面を当接させて仮置する。木材又はコンクリート面に設置するときは、固定ピン４の大径７を手で押し下げるか、金槌で打設して前記木材又はコンクリート面に固定する。次に、抱持アーム１０の前面アーム１２を手で持ち上げた状態で、墨壷（記載しない）から引出した墨糸５２の先端に取り付けられた軽子（カルコ）５０を、前記前面アーム１２を潜らせてからピン５１を薄板２面に突き刺し、墨糸を張設して前記前面アーム１２を手から放すと、前記前面アーム５２はバネ１３の負勢により、木材又はコンクリート面に押圧された状態で張設される。次に、墨糸５２の所定箇所を指で摘み上げて放すと、墨糸に付着している墨が木材又は、コンクリート面に鮮明に転写される。なお、鉄骨躯体面については薄板２が磁着するので、固定ピンで固定する必要はない。
【００２１】  図５は本考案の第四実施形態を示す平面図であり、寸法計測のための補助具として使用する。木材、コンクリート又は鉄骨躯体の所定面の計測したい基点に、基台１の中心線２１又は２２を合わせて、墨出し補助具の薄板２下面を当接させて仮置する。木材又はコンクリート面に設置するときは、固定ピン４の大径７を手で押し下げるか、金槌で打設して前記木材又はコンクリート面に固定する。次に、巻尺（図示しない）から巻尺テープを引き出し、先端部の係止片を前記基台１の凹溝に係止する。この状態で前記巻尺テープを所定位置まで引き出し、寸法計測する。
【産業上の利用可能性】
【００２２】  本考案の墨出し補助具は、従来の問題点を解決するとともに、水糸張り、墨出し、及び寸法計測という各作業に対する補助具して多用途に利用することができる。
【符号の説明】
【００２３】１  基台
２  薄板
２ａ  細穴
３  補強台
４  基台固定部
５  中空胴
６  固定ピン
７  大径（六角ナット）
８  挿入ピン
９  水糸ガイド
１０  拘持アーム
１１  側面アーム
１２  前面アーム
１３  バネ
１４  湾曲
２１  中心線
２２  凹溝
５０  軽子（カルコ）
５１  ピン
５２  墨糸
【図１】
0003204744.tif 000003
【図２】
0003204744.tif 000004
【図３】
0003204744.tif 000005
【図４】
0003204744.tif 000006
【図５】
0003204744.tif 000007
【手続補正書】
【提出日】平成28年3月22日(2016.3.22)
【手続補正１】
【補正対象書類名】実用新案登録請求の範囲
【補正対象項目名】全文
【補正方法】変更
【補正の内容】
【実用新案登録請求の範囲】
【請求項１】
ゴム又は軟質樹脂製の薄板の上に補強台が設けられた基台と、
該補強台の上面から下面まで貫通して立設された一対の中空支持棒と、
該中空支持棒に上下移動可能に挿入された滑り止めピンとから構成されていることを特徴とする墨出し補助具。
【請求項２】
前記薄板は、磁性体又は磁性体が積層されていることを特徴とする請求項１に記載の墨出し補助具。
【請求項３】
前記補強台には、墨壷糸を拘持する拘持ア−ムが設けられていることを特徴とする請求項１又は２に記載の墨出し補助具。
【請求項４】
前記補強台には、前記一対の中空支持棒の外側に、一以上の水糸係止棒が立設されていることを特徴とする請求項１〜３のいずれか一項に記載の墨出し補助具。
【請求項５】
前記薄板の上には、巻尺テ−プ先端部の係止片を係止する溝が設けられていることを特徴とする請求項１〜４のいずれか一項に記載の墨出し補助具。